【手続補正書】
【提出日】平成22年5月21日(2010.5.21)
【手続補正１】
【補正対象書類名】明細書
【補正対象項目名】０００７
【補正方法】変更
【補正の内容】
【０００７】
投光器１と受光器２との間に給紙用紙４が入ると、給紙用紙４によって光が遮られ、受光器２での光の受光量が減少する。この場合、投光器１と受光器２との間に入った給紙用紙４が１枚であれば、受光器２での光の受光量の減少量は小さく、増幅回路３Ｃからの出力値ＡＰ１は閾値Ｖth1を下回るが（図３５（ａ）：ｔ１点）、増幅回路３Ｃからの出力値ＡＰ２は閾値Ｖth2以上を保つ（図３５（ｂ）：ｔ１点）。
【手続補正２】
【補正対象書類名】明細書
【補正対象項目名】０００８
【補正方法】変更
【補正の内容】
【０００８】
これに対し、投光器１と受光器２との間に給紙用紙４が２枚入ると、受光器２での光の受光量の減少量が大きくなり、増幅回路３Ｃからの出力値ＡＰ２が閾値Ｖth2を下回る（図３６（ｂ）：ｔ１点）。処理装置３Ａは、増幅回路３Ｃからの出力値ＡＰ１，ＡＰ２を監視し、出力値ＡＰ１が閾値Ｖｔｈ１を下回り、かつ出力値ＡＰ２が閾値Ｖｔｈ２を下回った場合を給紙用紙４の重複として検出する。
【手続補正３】
【補正対象書類名】明細書
【補正対象項目名】００１８
【補正方法】変更
【補正の内容】
【００１８】
また、本発明において、例えば、第２の増幅器の増幅率ＧＡをＧＡ0〜ＧＡ255まで段階的に増大させながら第２の増幅器からの出力及び第３の増幅器からの出力を記憶し、その後、その増幅率ＧＡ0〜ＧＡ255に対応する第２の増幅器からの出力値および第３増幅器からの出力値を観察し、第２の増幅器からの出力値に第１の設定値Ｖ２ｓとほゞ等しい出力値が認められた場合、第２の増幅器からの出力をシート状物の重複検出用の監視出力として定め、第２の増幅器からの出力値に第１の設定値Ｖ２ｓとほゞ等しい出力値が認められず、第３の増幅器からの出力値に第２の設定値Ｖ３ｓとほゞ等しい出力値が認められた場合、第３の増幅器からの出力をシート状物の重複検出用の監視出力として定めるようにしてもよい。このようにすると、第２の増幅器の増幅率ＧＡを再度変化させなくてもよくなり、処理スピードがアップする。
【手続補正４】
【補正対象書類名】明細書
【補正対象項目名】００２０
【補正方法】変更
【補正の内容】
【００２０】
本発明によれば、受光器からの出力を増幅する第１の増幅器と、この第１の増幅器からの出力を増幅する増幅率が調整可能な第２の増幅器と、この第２の増幅器からの出力を増幅する第３の増幅器とを設け、第２，第３の増幅器からの出力値に基づいて投光器と受光器との間を通過するシート状物の重複を検出するようにし、投光器と受光器との間に１枚のシート状物を挟んだ状態で第２の増幅器の増幅率を変化させ、この時に第２の増幅器からの出力値に第１の設定値とほゞ等しい出力値が認められた場合には、第２の増幅器からの出力をシート状物の重複検出用の監視出力として定め、第２の増幅器からの出力値に第１の設定値とほゞ等しい出力値が認められず、第３の増幅器からの出力値に第２の設定値とほゞ等しい出力値が認められた場合には、第３の増幅器からの出力をシート状物の重複検出用の監視出力として定めるようにしたので、光の減少量が大きい厚紙等の特殊紙の場合、第３の増幅器からの出力を監視出力として用いるようにして、精度よく重複検出を行うことができるようになる。
【手続補正５】
【補正対象書類名】明細書
【補正対象項目名】００２５
【補正方法】変更
【補正の内容】
【００２５】
処理装置３Ａは、投光器１と受光器２との間に給紙用紙４が１枚挟まれた状態になったと判断すると（ステップＳ２のＹＥＳ）、カウント値Ｎを０とする（ステップＳ３）。そして、カウント値ＮがＮ＞２５５でないことを確認のうえ（ステップＳ４のＮＯ）、第２の増幅器ＡＭＰ２への増幅率ＧＡをＧＡ0（最小値）とする（ステップＳ５、図４（ｃ）：ｔ１点）。
【手続補正６】
【補正対象書類名】明細書
【補正対象項目名】００２８
【補正方法】変更
【補正の内容】
【００２８】
そして、紙の種類を普通紙とし（ステップＳ１１）、第２の増幅器ＡＭＰ２からの出力を重複検出用の監視出力として定め（ステップＳ１２）、ＧＡｓｐを重複検出用の増幅率として定め（ステップＳ１３）、しきい値Ｖth2を重複検出用のしきい値として定める（ステップＳ１４）。
【手続補正７】
【補正対象書類名】明細書
【補正対象項目名】００３１
【補正方法】変更
【補正の内容】
【００３１】
この増幅率ＧＡの増大中、Ｎ＞２５５となる前にＡＰ３≒Ｖ３ｓとなれば（ステップＳ１９のＹＥＳ、図５（ｃ）：ｔ３点）、すなわち第２の増幅器ＡＭＰ２の増幅率ＧＡをＧＡ0〜ＧＡ255まで段階的に増大させて行き、その途中で第３の増幅器ＡＭＰ３からの出力値ＡＰ３が設定値Ｖ３ｓとほゞ等しくなれば、その時の増幅率ＧＡNをＧＡspとする（ステップＳ２１）。また、その時の第３の増幅器ＡＭＰ３からの出力値ＡＰ３に０．８を乗じ、しきい値Ｖth3（Ｖth3＝ＡＰ３×０．８）とする（ステップＳ２２）。
【手続補正８】
【補正対象書類名】明細書
【補正対象項目名】００３４
【補正方法】変更
【補正の内容】
【００３４】
このようにして、本実施の形態では、光の減少量がそれほど大きくない普通紙の場合、第２の増幅器ＡＭＰ２からの出力が重複検出用の監視出力として定められ、光の減少量が大きい厚紙等の特殊紙の場合、第３の増幅器ＡＭＰ３からの出力が重複検出用の監視出力として定められ、特殊紙も含めた広範囲の用紙に対して、精度よく重複検出を行うことができるようになる。
【手続補正９】
【補正対象書類名】明細書
【補正対象項目名】００３８
【補正方法】変更
【補正の内容】
【００３８】
第２の重複検出用監視出力及び増幅率決定手段３１Ｃは、増幅率変化手段３１Ａが第２の増幅器ＡＭＰ２の増幅率ＧＡをＧＡ0〜ＧＡ255まで再度段階的に増大させて行く途中、第３の増幅器ＡＭＰ３からの出力値ＡＰ３に設定値Ｖ３ｓとほゞ等しい出力値が認められた場合、第３の増幅器ＡＭＰ３からの出力を重複検出用の監視出力として定める。また、その時の第２の増幅器ＡＭＰ２の増幅率ＧＡNを取り込み、この取り込んだＧＡNを重複検出用の増幅率ＧＡspとして定める。また、増幅率変化手段３１Ａが第２の増幅器ＡＭＰ２の増幅率ＧＡをＧＡ0〜ＧＡ255まで再度段階的に増大させても、第３の増幅器ＡＭＰ３からの出力値ＡＰ３に設定値Ｖ３ｓとほゞ等しい出力値が認められなかった場合、検出不可と判断する。
【手続補正１０】
【補正対象書類名】明細書
【補正対象項目名】００３９
【補正方法】変更
【補正の内容】
【００３９】
なお、この実施の形態１では、第２の増幅器ＡＭＰ２の増幅率ＧＡをＧＡ0〜ＧＡ255まで段階的に増大させて行くようにしたが、例えば、最初は増幅率ＧＡをＧＡ128とし、その時の第２の増幅器ＡＭＰ２からの出力値ＡＰ２が設定値Ｖ２ｓよりも小さければ、増幅率ＧＡをアップしてＧＡ192とするというようにして、第２の増幅器ＡＭＰ２からの出力値ＡＰ２が設定値Ｖ２ｓとほゞ等しくなる増幅率ＧＡを絞り込んで行くようにしてもよい。この方式については、後述する実施の形態２で説明する。このような方式とすることにより、増幅率ＧＡを１段階ずつ変化させる場合に比べ、遙かにその処理スピードをアップすることができる。
【手続補正１１】
【補正対象書類名】明細書
【補正対象項目名】００４０
【補正方法】変更
【補正の内容】
【００４０】
また、この実施の形態１では、第２の増幅器ＡＭＰ２の増幅率ＧＡをＧＡ0〜ＧＡ255まで段階的に増大させてもＡＰ２≒Ｖ２ｓとならない場合、再度、第２の増幅器ＡＭＰ２の増幅率ＧＡをＧＡ0〜ＧＡ255まで段階的に増大させて、第３の増幅器ＡＭＰ３からの出力値ＡＰ３がＡＰ３≒Ｖ３ｓとなる点を探し出すようにしたが、例えば、第２の増幅器ＡＭＰ２の増幅率ＧＡをＧＡ0〜ＧＡ255まで段階的に増大させながら第２の増幅器ＡＭＰ２からの出力及び第３の増幅器ＡＭＰ３からの出力を記憶し、その後、その増幅率ＧＡ0〜ＧＡ255に対応する第２の増幅器ＡＭＰ２からの出力値ＡＰ２および第３の増幅器ＡＭＰ３からの出力値ＡＰ３を観察し、第２の増幅器ＡＭＰ２からの出力値ＡＰ２に設定値Ｖ２ｓとほゞ等しい出力値が認められた場合、第２の増幅器ＡＭＰ２からの出力を重複検出用の監視出力として定め、第２の増幅器ＡＭＰ２からの出力値ＡＰ２に設定値Ｖ２ｓとほゞ等しい出力値が認められず、第３の増幅器ＡＭＰ３からの出力値ＡＰ３に設定値Ｖ３ｓとほゞ等しい出力値が認められた場合、第３の増幅器ＡＭＰ３からの出力を重複検出用の監視出力として定めるようにしてもよい。このようにすると、第２の増幅器ＡＭＰ２の増幅率ＧＡを再度変化させなくてもよくなり、処理スピードがアップする。
【手続補正１２】
【補正対象書類名】明細書
【補正対象項目名】００４３
【補正方法】変更
【補正の内容】
【００４３】
このメモリＭにおいて、メモリＭ１には重複検出に際する設定値として投光器の出力値ＳＶｓｐが記憶され、メモリＭ３にはカウント値Ｎが記憶され、メモリＭ４には第１のアンプの出力値ＡＰ１が記憶され、メモリＭ６にはカウント値Ｎの補正値ＮＣが記憶され、メモリＭ７には紙有り判断用しきい値Ｖth1が記憶され、メモリＭ８には第２のアンプの出力値ＡＰ２が記憶され、メモリＭ９には最適ゲイン値判断用基準値Ｖｓ（＝Ｖ１ｓ，Ｖ２ｓ）が記憶される。
【手続補正１３】
【補正対象書類名】明細書
【補正対象項目名】００４５
【補正方法】変更
【補正の内容】
【００４５】
また、メモリＭ１６には重複検出用のしきい値Ｖｔｈが記憶され、メモリＭ１７には第３のアンプの出力値ＡＰ３が記憶され、メモリＭ１８には印刷機の回転位相検出用のカウンタのカウント値Ｎψが記憶され、メモリＭ１９には印刷機の回転位相ψが記憶され、メモリＭ２０には重複検知位相Ｎψspが記憶され、メモリＭ２１には検出出力値ＡＰが記憶される。なお、これらのメモリＭ１、Ｍ３、Ｍ４、Ｍ６〜Ｍ２１に記憶される内容については、後述する重複検出処理の動作の説明を交えながら明らかとする。
【手続補正１４】
【補正対象書類名】明細書
【補正対象項目名】００４６
【補正方法】変更
【補正の内容】
【００４６】
図９に印刷機制御装置２００の構成を示す。印刷機制御装置２００は、ＣＰＵ２０１と、印刷開始スイッチ２０２と、印刷停止スイッチ２０３と、重複検出装置用リセットスイッチ２０４と、入力装置２０５と、表示器２０６と、出力装置２０７と、給紙装置２０８と、第１印刷ユニット２０９1〜第４印刷ユニット２０９4と、原動モータドライバ２１０と、原動モータ２１１と、原動モータ用ロータリエンコーダ２１２と、インタフェース２１３〜２１７とを備えている。なお、図９において、印刷機制御装置２００はＲＯＭ及びＲＡＭを有しているが、これについては省略している。
【手続補正１５】
【補正対象書類名】明細書
【補正対象項目名】００５０
【補正方法】変更
【補正の内容】
【００５０】
次に、ＣＰＵ１０１は、カウント値Ｎの補正値ＮＣとして「６４」をメモリＭ６に書き込む（ステップＳ１２２）。そして、Ａ／Ｄ変換器１２０を介して第１のアンプ１１２の出力値ＡＰ１を読み込み（ステップＳ１２３）、メモリＭ７から紙有り判断用しきい値Ｖth1を読み出し（ステップＳ１２４）、この第１のアンプ１１２の出力値ＡＰ１と紙有り判断用しきい値Ｖth1とを比較する（ステップＳ１２５）。
【手続補正１６】
【補正対象書類名】明細書
【補正対象項目名】００５４
【補正方法】変更
【補正の内容】
【００５４】
この例では、｜ΔＶｓ｜＜ΔＶｓｔｈではなく、ステップＳ１３４へ進むものとする。この場合、ＣＰＵ１０１は、その時の第２のアンプ１１３の出力値ＡＰ２をメモリＭ８から読み出し（ステップＳ１３４）、また最適ゲイン値判断用基準値ＶｓをメモリＭ９から読み出し（ステップＳ１３５）、第２のアンプ１１３の出力値ＡＰ２と最適ゲイン値判断用基準値Ｖｓとを比較する（ステップＳ１３６）。
【手続補正１７】
【補正対象書類名】明細書
【補正対象項目名】００５９
【補正方法】変更
【補正の内容】
【００５９】
この例では、ＡＰ２＜Ｖｓであるものとする。この場合、ＣＰＵ１０１は、メモリＭ３よりその時のカウント値Ｎ＝１９２を読み出し（ステップＳ１５６）、メモリＭ６よりその時のカウント値Ｎの補正値ＮＣ＝３２を読み出し（ステップＳ１５７）、カウント値Ｎに補正値ＮＣを加算してＮ＝１９２＋３２＝２２４とし、この求めたＮ＝２２４をメモリＭ３に上書きする（ステップＳ１５８）。
【手続補正１８】
【補正対象書類名】明細書
【補正対象項目名】００６４
【補正方法】変更
【補正の内容】
【００６４】
この例では、｜ΔＶｓ｜＜ΔＶｓｔｈであり、ステップＳ１７１へ進むものとする。この場合、ＣＰＵ１０１は、第２のアンプ１１３の出力値ＡＰ２と最適ゲイン値判断用基準値Ｖｓとがほゞ等しくなったと判断し（ＡＰ２≒Ｖｓ）、給紙用紙４が普通紙であることを示す「１」をメモリＭ１４に書き込む（ステップＳ１７１）。また、メモリＭ３からその時のカウント値Ｎ＝２２４を読み出し（ステップＳ１７２）、メモリＭ１５にカウント値Ｎ＝２２４を最適ゲイン値ＮＧspとして書き込む（ステップＳ１７３）。また、メモリＭ８から第２のアンプの出力値ＡＰ２を読み出し（ステップＳ１７４）、この読み出した第２のアンプの出力値ＡＰ２に０．８を乗算し、重複検出用のしきい値Ｖｔｈを求め、メモリＭ１６に書き込む（ステップＳ１７５）。
【手続補正１９】
【補正対象書類名】明細書
【補正対象項目名】００７５
【補正方法】変更
【補正の内容】
【００７５】
そして、メモリＭ９から最適ゲイン値判断用基準値Ｖｓを読み出し（ステップＳ１４８）、最適ゲイン値判断用基準値Ｖｓより第２のアンプ１１３の出力値ＡＰ２を減算し、最適ゲイン値判断用基準値との差ΔＶｓを求め（ステップＳ１４９）、その絶対値を｜ΔＶｓ｜として求め（ステップＳ１５０）、メモリＭ１２から最適ゲイン値判断用しきい値ΔＶｓｔｈを読み出し（ステップＳ１５１）、最適ゲイン値判断用基準値との差の絶対値｜ΔＶｓ｜と比較する（ステップＳ１５２）。ここで、｜ΔＶｓ｜＜ΔＶｓｔｈでなければ（ステップＳ１５２のＮＯ）、ステップＳ１５３（図１４）へ進み、｜ΔＶｓ｜＜ΔＶｓｔｈであれば（ステップＳ１５２のＹＥＳ）、ステップＳ１７１へ進む。
【手続補正２０】
【補正対象書類名】明細書
【補正対象項目名】００７６
【補正方法】変更
【補正の内容】
【００７６】
この例では、｜ΔＶｓ｜＜ΔＶｓｔｈであり、ステップＳ１７１へ進むものとする。この場合、ＣＰＵ１０１は、第２のアンプ１１３の出力値ＡＰ２と最適ゲイン値判断用基準値Ｖｓとがほゞ等しくなったと判断し（ステップＳ１５２のＹＥＳ）、給紙用紙４が普通紙であることを示す「１」をメモリＭ１４に書き込む（ステップＳ１７１）。また、メモリＭ３からその時のカウント値Ｎ＝３２を読み出し（ステップＳ１７２）、メモリＭ１５にカウント値Ｎ＝３２を最適ゲイン値ＮＧspとして書き込む（ステップＳ１７３）。また、メモリＭ８から第２のアンプの出力値ＡＰ２を読み出し（ステップＳ１７４）、この読み出した第２のアンプの出力値ＡＰ２に０．８を乗算し、重複検出用のしきい値Ｖｔｈを求め、メモリＭ１６に書き込む（ステップＳ１７５）。
【手続補正２１】
【補正対象書類名】明細書
【補正対象項目名】００７７
【補正方法】変更
【補正の内容】
【００７７】
なお、この例では、第２のアンプ１１３へのゲインＧＡをＧＡ32とした時に｜ΔＶｓ｜＜ΔＶｓｔｈとなるものとしたが、｜ΔＶｓ｜＜ΔＶｓｈとならない場合には（但し、ＡＰ２＞Ｖｓが続く場合）、補正値ＮＣが１／２ずつ減じられながら、ゲインＧＡが減少して行く。この場合、ゲインＧＡは、「ＧＡ32」→「ＧＡ16」→「ＧＡ8」→「ＧＡ4」→「ＧＡ2」→「ＧＡ1」→「ＧＡ0」というように、段階的に減少して行く。
【手続補正２２】
【補正対象書類名】明細書
【補正対象項目名】００８１
【補正方法】変更
【補正の内容】
【００８１】
この場合、ＣＰＵ１０１は、カウント値Ｎの補正値ＮＣとして「６４」をメモリＭ６に書き込み（図１６：ステップＳ１７６）、メモリＭ３にカウント値Ｎとして「１２８」を書き込み（ステップＳ１７７）、この書き込んだカウント値Ｎ＝１２８を第２のアンプのゲイン調整用Ｄ／Ａ変換器１１５に出力し（ステップＳ１７８）、第２のアンプ１１３へのゲインＧＡをＧＡ128とする（図３０（ｄ）：ｔ２点）。そして、Ａ／Ｄ変換器１１８を介して第３のアンプ１１４の出力値ＡＰ３を読み込み（図３０（ｃ）：ｔ２点）、メモリＭ１７に書き込む（ステップＳ１７９）。
【手続補正２３】
【補正対象書類名】明細書
【補正対象項目名】００８４
【補正方法】変更
【補正の内容】
【００８４】
この例では、｜ΔＶｓ｜＜ΔＶｓｔｈではなく、ステップＳ１８５へ進むものとする。この場合、ＣＰＵ１０１は、その時の第３のアンプ１１４の出力値ＡＰ３をメモリＭ１７から読み出し（ステップＳ１８５）、また最適ゲイン値判断用基準値ＶｓをメモリＭ９から読み出し（ステップＳ１８６）、第３のアンプ１１４の出力値ＡＰ３と最適ゲイン値判断用基準値Ｖｓとを比較する（ステップＳ１８７）。
【手続補正２４】
【補正対象書類名】明細書
【補正対象項目名】００８６
【補正方法】変更
【補正の内容】
【００８６】
そして、メモリＭ３からカウント値Ｎ＝１９２を読み出し（図１８：ステップＳ１９６）、この読み出したカウント値Ｎ＝１９２を第２のアンプのゲイン調整用Ｄ／Ａ変換器１１５に出力し（ステップＳ１９７）、第２のアンプ１１３へのゲインＧＡをＧＡ192とする（図３０（ｄ）：ｔ３点）。そして、Ａ／Ｄ変換器１１８を介して第３のアンプ１１４の出力値ＡＰ３を読み込み（図３０（ｃ）：ｔ３点）、メモリＭ１７に書き込む（ステップＳ１９８）。
【手続補正２５】
【補正対象書類名】明細書
【補正対象項目名】００９０
【補正方法】変更
【補正の内容】
【００９０】
この例では、ＡＰ３＜Ｖｓであるものとする。この場合、ＣＰＵ１０１は、メモリＭ３よりその時のカウント値Ｎ＝１９２を読み出し（ステップＳ２０７）、メモリＭ６よりその時のカウント値Ｎの補正値ＮＣ＝３２を読み出し（ステップＳ２０８）、カウント値Ｎにカウント値Ｎの補正値ＮＣを加算してＮ＝１９２＋３２＝２２４とし、この求めたＮ＝２２４をメモリＭ３に上書きする（ステップＳ２０９）。
【手続補正２６】
【補正対象書類名】明細書
【補正対象項目名】００９３
【補正方法】変更
【補正の内容】
【００９３】
そして、メモリＭ３からカウント値Ｎ＝２２４を読み出し（図１８：ステップＳ１９６）、この読み出したカウント値Ｎ＝２２４を第２のアンプのゲイン調整用Ｄ／Ａ変換器１１５に出力し（ステップＳ１９７）、第２のアンプ１１３へのゲインＧＡをＧＡ224とする（図３０（ｄ）：ｔ４点）。そして、Ａ／Ｄ変換器１１８を介して第３のアンプ１１４の出力値ＡＰ３を読み込み（図３０（ｃ）：ｔ４点）、メモリＭ１７に書き込む（ステップＳ１９８）。
【手続補正２７】
【補正対象書類名】明細書
【補正対象項目名】００９５
【補正方法】変更
【補正の内容】
【００９５】
この例では、｜ΔＶｓ｜＜ΔＶｓｔｈであり、ステップＳ２２２へ進むものとする。この場合、ＣＰＵ１０１は、第３のアンプ１１４の出力値ＡＰ３と最適ゲイン値判断用基準値Ｖｓとがほゞ等しくなったと判断し（ＡＰ３≒Ｖｓ）、給紙用紙４が特殊紙であることを示す「２」をメモリＭ１４に書き込む（ステップＳ２２２）。また、メモリＭ３からその時のカウント値Ｎ＝２２４を読み出し（ステップＳ２２３）、メモリＭ１５にカウント値Ｎ＝２２４を最適ゲイン値ＮＧspとして書き込む（ステップＳ２２４）。また、メモリＭ１７から第３のアンプの出力値ＡＰ３を読み出し（ステップＳ２２５）、この読み出した第３のアンプの出力値ＡＰ３に０．８を乗算し、重複検出用のしきい値Ｖｔｈを求め、メモリＭ１６に書き込む（ステップＳ２２６）。
【手続補正２８】
【補正対象書類名】明細書
【補正対象項目名】００９８
【補正方法】変更
【補正の内容】
【００９８】
〔ＡＰ３≧Ｖｓであった場合〕
ステップＳ１８７（図１７）において、ＡＰ３＞Ｖｓであった場合（図３２（ｃ）：ｔ２点）、ＣＰＵ１０１は、メモリＭ３よりその時のカウント値Ｎ＝１２８を読み出し（ステップＳ１９１）、メモリＭ６よりその時のカウント値Ｎの補正値ＮＣ＝６４を読み出し（ステップＳ１９２）、カウント値Ｎからカウント値Ｎの補正値ＮＣを減算してＮ＝１２８−６４＝６４とし、この求めたＮ＝６４をメモリＭ３に上書きする（ステップＳ１９３）。また、メモリＭ６よりその時のカウント値Ｎの補正値ＮＣ＝６４を読み出し（ステップＳ１９４）、カウント値Ｎの補正値ＮＣを２で除算してＮＣ＝６４／２＝３２とし、この求めたＮＣ＝３２をメモリＭ６に上書きする（ステップＳ１９５）。
【手続補正２９】
【補正対象書類名】明細書
【補正対象項目名】００９９
【補正方法】変更
【補正の内容】
【００９９】
そして、メモリＭ３からカウント値Ｎ＝６４を読み出し（図１８：ステップＳ１９６）、この読み出したカウント値Ｎ＝６４を第２のアンプのゲイン調整用Ｄ／Ａ変換器１１５に出力し（ステップＳ１９７）、第２のアンプ１１３へのゲインＧＡをＧＡ64とする（図３２（ｄ）：ｔ３点）。そして、Ａ／Ｄ変換器１１８を介して第３のアンプ１１４の出力値ＡＰ３を読み込み（図３２（ｃ）：ｔ３点）、メモリＭ１７に書き込む（ステップＳ１９８）。
【手続補正３０】
【補正対象書類名】明細書
【補正対象項目名】０１０４
【補正方法】変更
【補正の内容】
【０１０４】
そして、メモリＭ３からカウント値Ｎ＝３２を読み出し（図１８：ステップＳ１９６）、この読み出したカウント値Ｎ＝３２を第２のアンプのゲイン調整用Ｄ／Ａ変換器１１５に出力し（ステップＳ１９７）、第２のアンプ１１３へのゲインＧＡをＧＡ32とする（図３２（ｄ）：ｔ４点）。そして、Ａ／Ｄ変換器１１８を介して第３のアンプ１１４の出力値ＡＰ３を読み込み（図３２（ｃ）：ｔ４点）、メモリＭ１７に書き込む（ステップＳ１９８）。
【手続補正３１】
【補正対象書類名】明細書
【補正対象項目名】０１０５
【補正方法】変更
【補正の内容】
【０１０５】
そして、メモリＭ９から最適ゲイン値判断用基準値Ｖｓを読み出し（ステップＳ１９９）、最適ゲイン値判断用基準値Ｖｓより第３のアンプ１１４の出力値ＡＰ３を減算し、最適ゲイン値判断用基準値との差ΔＶｓを求め（ステップＳ２００）、その絶対値を｜ΔＶｓ｜として求め（ステップＳ２０１）、メモリＭ１２から最適ゲイン値判断用しきい値ΔＶｓｔｈを読み出し（ステップＳ２０２）、最適ゲイン値判断用基準値との差の絶対値｜ΔＶｓ｜と比較する（ステップＳ２０３）。ここで、｜ΔＶｓ｜＜ΔＶｓｔｈでなければ（ステップＳ２０３のＮＯ）、ステップＳ２０４（図１９）へ進み、｜ΔＶｓ｜＜ΔＶｓｔｈであれば（ステップＳ２０３のＹＥＳ）、ステップＳ２２２へ進む。
【手続補正３２】
【補正対象書類名】明細書
【補正対象項目名】０１０６
【補正方法】変更
【補正の内容】
【０１０６】
この例では、｜ΔＶｓ｜＜ΔＶｓｔｈであり、ステップＳ２２２へ進むものとする。この場合、ＣＰＵ１０１は、第３のアンプ１１４の出力値ＡＰ３と最適ゲイン値判断用基準値Ｖｓとがほゞ等しくなったと判断し（ステップＳ２０３のＹＥＳ）、給紙用紙４が特殊であることを示す「２」をメモリＭ１４に書き込む（ステップＳ２２２）。また、メモリＭ３からその時のカウント値Ｎ＝３２を読み出し（ステップＳ２２３）、メモリＭ１５にカウント値Ｎ＝３２を最適ゲイン値ＮＧspとして書き込む（ステップＳ２２４）。また、メモリＭ１７から第３のアンプの出力値ＡＰ３を読み出し（ステップＳ２２５）、この読み出した第３のアンプの出力値ＡＰ３に０．８を乗算し、重複検出用のしきい値Ｖｔｈを求め、メモリＭ１６に書き込む（ステップＳ２２６）。
【手続補正３３】
【補正対象書類名】明細書
【補正対象項目名】０１０７
【補正方法】変更
【補正の内容】
【０１０７】
なお、この例では、第２のアンプ１１３へのゲインＧＡをＧＡ32とした時に｜ΔＶｓ｜＜ΔＶｓｔｈとなるものとしたが、｜ΔＶｓ｜＜ΔＶｓｔｈとならない場合には（但し、ＡＰ３＞Ｖｓが続く場合）、補正値ＮＣが１／２ずつ減じられながら、ゲインＧＡが減少して行く。この場合、ゲインＧＡは、「ＧＡ32」→「ＧＡ16」→「ＧＡ8」→「ＧＡ4」→「ＧＡ2」→「ＧＡ1」→「ＧＡ0」というように、段階的に減少して行く。
【手続補正３４】
【補正対象書類名】明細書
【補正対象項目名】０１１３
【補正方法】変更
【補正の内容】
【０１１３】
重複検出装置１００のＣＰＵ１０１は、印刷機制御装置２００からのリセット信号を受けると（図１５：ステップＳ１７０のＹＥＳ、図２０：ステップＳ２２１のＹＥＳ）、ステップＳ１１９（図１０）の処理へと戻り、前述した一連の処理動作を再度実行する。
【手続補正３５】
【補正対象書類名】明細書
【補正対象項目名】０１１６
【補正方法】変更
【補正の内容】
【０１１６】
そして、ＣＰＵ１０１は、印刷機の回転位相検出用カウンタ１１６よりカウント値Ｎψを読み出し（ステップＳ２３１）、この読み出したカウント値Ｎψより印刷機の回転位相ψを求め（ステップＳ２３２）、メモリＭ２０から重複検知位相ψspを読み出し（ステップＳ２３３）、印刷機の回転位相ψと重複検知位相ψspとを比較する（ステップＳ２３４）。
【手続補正３６】
【補正対象書類名】明細書
【補正対象項目名】０１２２
【補正方法】変更
【補正の内容】
【０１２２】
【図１】本発明に係る重複検出装置の一実施の形態（実施の形態１）を示すブロック構成図である。
【図２】この重複検出装置における処理装置が実行する重複検出用監視出力及び増幅率決定処理動作を説明するためのフローチャートである。
【図３】図２に続くフローチャートである。
【図４】この重複検出装置における重複検出用の監視出力およびゲインの決定過程（第２のアンプの出力が重複検出用の監視出力として決定される場合）を説明する図である。
【図５】この重複検出装置における重複検出用の監視出力およびゲインの決定過程（第３のアンプの出力が重複検出用の監視出力として決定される場合）を説明する図である。
【図６】参考として示す処理装置における重複検出用監視出力及び増幅率決定機能のブロック図である。
【図７】本発明に係る重複検出装置の他の実施の形態（実施の形態２）を示すブロック図である。
【図８】この重複検出装置におけるメモリＭの構成を示す図である。
【図９】この重複検出装置に接続された印刷機制御装置の構成を示すブロック図である。
【図１０】この重複検出装置におけるＣＰＵが実行する重複検出プログラムに従う処理動作を示すフローチャートである。
【図１１】図１０に続くフローチャートである。
【図１２】図１１に続くフローチャートである。
【図１３】図１２に続くフローチャートである。
【図１４】図１３に続くフローチャートである。
【図１５】図１４に続くフローチャートである。
【図１６】図１５に続くフローチャートである。
【図１７】図１６に続くフローチャートである。
【図１８】図１７に続くフローチャートである。
【図１９】図１８に続くフローチャートである。
【図２０】図１９に続くフローチャートである。
【図２１】図１３および図１８に続くフローチャートである。
【図２２】図２１に続くフローチャートである。
【図２３】この重複検出装置に接続された印刷制御装置のＣＰＵが実行する処理動作を示すフローチャートである。
【図２４】図２３に続くフローチャートである。
【図２５】図２３に続くフローチャートである。
【図２６】この重複検出装置における重複検出用の監視出力およびゲインの決定過程の例として第２のアンプの出力が重複検出用の監視出力として決定される場合の第１例を示す図である。
【図２７】この重複検出装置における重複検出用の監視出力およびゲインの決定過程の例として第２のアンプの出力が重複検出用の監視出力として決定される場合の第２例を示す図である。
【図２８】この重複検出装置における重複検出用の監視出力およびゲインの決定過程の例として第２のアンプの出力が重複検出用の監視出力として決定される場合の第３例を示す図である。
【図２９】この重複検出装置における重複検出用の監視出力およびゲインの決定過程の例として第２のアンプの出力が重複検出用の監視出力として決定される場合の第４例を示す図である。
【図３０】この重複検出装置における重複検出用の監視出力およびゲインの決定過程の例として第３のアンプの出力が重複検出用の監視出力として決定される場合の第１例を示す図である。
【図３１】この重複検出装置における重複検出用の監視出力およびゲインの決定過程の例として第３のアンプの出力が重複検出用の監視出力として決定される場合の第２例を示す図である。
【図３２】この重複検出装置における重複検出用の監視出力およびゲインの決定過程の例として第３のアンプの出力が重複検出用の監視出力として決定される場合の第３例を示す図である。
【図３３】この重複検出装置における重複検出用の監視出力およびゲインの決定過程の例として第３のアンプの出力が重複検出用の監視出力として決定される場合の第４例を示す図である。
【図３４】投受光器を用いた従来の重複検出装置の一例を示す図である。
【図３５】給紙用紙が１枚の場合の増幅回路からの出力値ＡＰ１，ＡＰ２の変化を示す図である。
【図３６】給紙用紙が２枚の場合の増幅回路からの出力値ＡＰ１，ＡＰ２の変化を示す図である。
【手続補正３７】
【補正対象書類名】明細書
【補正対象項目名】０１２３
【補正方法】変更
【補正の内容】
【０１２３】
１…投光器、２…受光器、３…コントロール部、３Ａ…処理装置、３Ｂ…電力供給回路、３Ｃ…増幅回路、ＡＭＰ１…第１の増幅器（固定増幅器）、ＡＭＰ２…第２の増幅器（可変増幅器）、３１…重複検出用監視出力及び増幅率決定機能、３１Ａ…増幅率変化手段、３１Ｂ…第１の重複検出用監視出力及び増幅率決定手段、３１Ｃ…第２の重複検出用監視出力及び増幅率決定手段、４…給紙用紙、１００…重複検出装置、１０１…ＣＰＵ、１０２…ＲＯＭ、１０３…ＲＡＭ、１０４…入力装置、１０５…表示器、１０６…出力装置、１０９…投光器用Ｄ／Ａ変換器、１１０…投光器、１１１…受光器、１１２…第１のアンプ（固定増幅器）、１１３…第２のアンプ（可変増幅器）、１１４…第３のアンプ（固定増幅器）、１１５…第２のアンプのゲイン調整用Ｄ／Ａ変換器、１１６…印刷機の回転位相検出用カウンタ、１１７…印刷機の回転位相検出用ロータリエンコーダ、１１８〜１２０…Ａ／Ｄ変換器、１２１〜１２８…インタフェース、Ｍ（Ｍ１，Ｍ３，Ｍ４，Ｍ６〜Ｍ２１）…メモリ、２００…印刷機制御装置、２０１…ＣＰＵ、２０２…印刷開始スイッチ、２０３…印刷停止スイッチ、２０４…重複検出装置用リセットスイッチ、２０５…入力装置、２０６…表示器、２０７…出力装置、２０８…給紙装置、２０９1〜２０９4…印刷ユニット、２１０…原動モータドライバ、２１１…原動モータ、２１２…原動モータ用ロータリエンコーダ、２１３〜２１７…インタフェース。